(57)【要約】【課題】  本発明の目的は、シンク面に別個の高圧洗浄口を設けることなく、シンク下のデッドスペース化を回避しつつ、意匠性にも優れ、排水管の高圧洗浄を容易に行うことができる排水トラップ装置を提供することである。【解決手段】  本発明の排水トラップ装置は、上流管路部と、下流管路部と、中間流路部と、前記中間流路部を駆動させる駆動手段と、を備え、前記駆動手段により前記中間流路部が、前記上流管路部下流に連結される第一屈曲部と前記下流管路部上流に連結される第二屈曲部が中間流路部を介して連通されてトラップ部を形成する第一の状態と、前記第一屈曲部及び前記第二屈曲部を介さずに前記上流管路部と前記下流管路部を連通して前記下流管路部を清掃容易とする第二の状態と、を切り替え可能としたことを特徴とする排水トラップ装置。【選択図】  図２
2006193955.tif 000002
【特許請求の範囲】
【請求項１】
上流管路部と下流管路部と中間流路部と前記中間流路部を駆動させる駆動手段とを備え、前記駆動手段により前記中間流路部が、前記上流管路部下流に連結される第一屈曲部と前記下流管路部上流に連結される第二屈曲部が中間流路部を介して連通されてトラップ部を形成する第一の状態と、前記第一屈曲部及び前記第二屈曲部を介さずに前記上流管路部と前記下流管路部を連通して前記下流管路部を清掃容易とする第二の状態とを切り替え可能としたことを特徴とする排水トラップ装置。
【請求項２】
前記中間流路部は対向する二つの固定壁と、前記固定壁に略垂直に設けた向かい合う二つの水密に駆動可能な駆動壁とを備え、前記駆動手段により前記固定壁に略垂直な軸を中心に前記駆動壁を回転させることを特徴とする請求項１記載の排水トラップ装置。
【請求項３】
前記駆動手段は前記駆動壁一端を前記上流管路部に連結させるとともに、
前記駆動壁他端を前記下流管路部に連結させる状態に切り替え可能としたことをを特徴とする請求項２記載の排水トラップ装置。
【請求項４】
前記中間流路部は対向する二つの固定壁と前記固定壁に略垂直に設けた向かい合う二つの水密に駆動可能な駆動壁とを備え、前記駆動手段により前記固定壁に沿って前記駆動壁を平行移動させることを特徴とする請求項１記載の排水トラップ装置。
【請求項５】
前記駆動手段を操作する操作部を排水口よりも上方に設けたことを特徴とする請求項１から４のいずれかに記載の排水トラップ装置。
【発明の詳細な説明】
【技術分野】
【０００１】
本発明は、洗面台、シンク等に取り付けられた排水口に接続される排水トラップ装置に関するものであって、より詳しくは排水トラップ装置の下流に接続される排水管を容易に高圧洗浄することができるようにした排水トラップ装置に関するものである。 
【背景技術】
【０００２】
排水管を容易に高圧洗浄することができるようにした排水トラップ装置として、高圧洗浄口とトラップの少なくとも封水底よりも下流の一部とをバイパス管で接続したものがある（特許文献１参照。）。 
【特許文献１】特開２００４−１９０４７４号公報（第７頁、第１図）
【発明の開示】
【発明が解決しようとする課題】
【０００３】
しかし、高圧洗浄口とトラップの少なくとも封水底よりも下流の一部とをバイパス管で接続した従来の排水トラップ装置では、シンクに排水口とは別個に高圧洗浄口を設けなければならなかった。そのため、高圧洗浄時以外は高圧洗浄口に設けた高圧洗浄口蓋でシンク面に凹凸が生じ、シンク面の清掃がやりにくく、また、シンク面の意匠性が悪くなるという課題があった。さらに、バイパス管を接続する必要があるので、装置が大きくなり、シンク下の収納スペースが狭くなるという課題があった。
本発明は上述した課題に鑑みなされたもので、その目的は、シンク面に別個の高圧洗浄口を設けることなく、シンク下のデッドスペース化を回避しつつ、意匠性にも優れ、排水管の高圧洗浄を容易に行うことができる排水トラップ装置を提供することである。
【課題を解決するための手段】
【０００４】
上記目的を達成するために請求項１記載の発明によれば、上流管路部と下流管路部と中間流路部と前記中間流路部を駆動させる駆動手段とを備え、前記駆動手段により前記中間流路部が前記上流管路部下流に連結される第一屈曲部と前記下流管路部上流に連結される第二屈曲部が中間流路部を介して連通されてトラップ部を形成する第一の状態と、前記第一屈曲部及び前記第二屈曲部を介さずに前記上流管路部と前記下流管路部を連通して前記下流管路部を清掃容易とする第二の状態とを切り替え可能としたことを特徴とする。
これによって、第一屈曲部及び第二屈曲部を介さずに上流管路部と下流管路部を連通して下流管路部を清掃容易とする第二の状態に切り替えることができる。
したがって、駆動手段により中間流路部を切り替えることによって、排水トラップ装置の下流に接続される排水管を容易に高圧洗浄することができる。そのため、シンク面に別個の高圧洗浄口を設けることなく、シンク下のデッドスペース化を回避しつつ、意匠性に優れた高圧洗浄対応排水トラップ装置を提供することができる。
【０００５】
また、請求項２記載の発明のよれば、前記中間流路部は、対向する二つの固定壁と前記固定壁に略垂直に設けた向かい合う二つの水密に駆動可能な駆動壁とを備え、前記駆動手段により、前記固定壁に略垂直な軸を中心に前記駆動壁を回転させることを特徴とする。
これによって、駆動壁を固定壁に略垂直な軸を中心に回転させることができるので、駆動手段を比較的簡便な構成で、かつ、意匠性に優れたものにすることができる。
したがって、比較的簡便な構成で駆動壁を駆動させることができ、かつ、意匠性に優れた高圧洗浄対応排水トラップ装置を提供することができる。
【０００６】
また、請求項３記載の発明のよれば、請求項２記載の発明において、前記駆動手段は、前記駆動壁一端を前記上流管路部に連結させるとともに、前記駆動壁他端を前記下流管路部に連結させる状態に切り替え可能としたことをを特徴とする。
これによって、駆動壁一端を上流管路部に連結させるとともに、駆動壁他端を下流管路部に連結させる状態に切り替えることができるので、駆動壁を回転させる駆動手段として比較的簡便な構成で、かつ、意匠性に優れたものにすることができる。
したがって、駆動壁を回転させる駆動手段として比較的簡便な構成で、かつ、意匠性に優れた高圧洗浄対応排水トラップ装置を提供することができる。
【０００７】
また、請求項４記載の発明のよれば、前記中間流路部は、対向する二つの固定壁と前記固定壁に略垂直に設けた向かい合う二つの水密に駆動可能な駆動壁とを備え、前記駆動手段により、前記固定壁に沿って前記駆動壁を平行移動させることを特徴とする。
これによって、固定壁に沿って駆動壁を平行移動させることができるので、駆動手段を比較的簡便な構成で、かつ、意匠性に優れたものにすることができる。
したがって、比較的簡便な構成で駆動壁を駆動させることができ、かつ、意匠性に優れた高圧洗浄対応排水トラップ装置を提供することができる。
【０００８】
また、請求項５記載の発明のよれば、駆動手段を操作する操作部を排水口よりも上方に設けたことを特徴とする。
これによって、駆動壁の駆動の操作を排水口よりも上方で行うことができる。
したがって、高圧洗浄時に狭いスペースのシンクに手を伸ばして操作することがないので、負担なく楽に高圧洗浄することができる。
【発明の効果】
【０００９】
本発明によれば、シンク面に別個の高圧洗浄口を設けることなく、シンク下のデッドスペース化を回避しつつ、意匠性にも優れ、排水管の高圧洗浄を容易に行うことができる排水トラップ装置を提供することができる。
【発明を実施するための最良の形態】
【００１０】
図１は、中間流路部に向かい合う二つの固定壁を備えた本発明の排水トラップ装置を示す模式斜視図である。
図１において、洗面台、シンク等に取り付けられた排水口１は、上流管路部４、第一屈曲部２、中間流路部６及び第二屈曲部３を介して、下流管路部５に通じている。また、上流管路部４、第一屈曲部２、中間流路部６、第二屈曲部３及び下流管路部５は、向かい合う二つの固定壁７によって構成されている。
そして、駆動壁（図示せず）を駆動させる駆動手段８を備えている。また、駆動手段８を操作する操作部９を排水口１よりも上方に設けてある。
そのため、排水口１よりも上方に設けた操作部９を操作して駆動壁（図示せず）を駆動させることができるので、排水口１から高圧洗浄用ノズルを挿入することによって、排水トラップ装置の下流に接続される排水管を容易に高圧洗浄することができる。また、駆動壁（図示せず）を駆動させて排水口１から高圧洗浄用ノズルを挿入するため、シンク面に別個の高圧洗浄口を設けることなく、シンク下のデッドスペース化を回避しつつ、意匠性にも優れた排水トラップ装置を提供することができる。
【００１１】
図２は、駆動壁を回転駆動させる本発明の排水トラップ装置の駆動前を示す模式断面図である。
図２において、洗面台、シンク等に取り付けられた排水口１は、上流管路部４、第一屈曲部２、中間流路部６及び第二屈曲部３を介して、下流管路部５に通じている。また、固定壁（図示せず）に略垂直に設けた向かい合う二つの水密に駆動可能な駆動壁１０ａ及び１０ｂは、駆動手段８により矢印の方向に回転駆動可能である。
【００１２】
図３は、駆動壁を回転駆動させる本発明の排水トラップ装置の駆動後を示す模式断面図である。
図３において、駆動壁１０ａ及び１０ｂは駆動手段８により回転駆動されているため、排水口１から、第一屈曲部２及び第二屈曲部３を介さずに、下流管路部５に通じている。
そのため、排水口１から高圧洗浄用ノズルを挿入することによって、排水トラップ装置の下流に接続される排水管を容易に高圧洗浄することができる。
【実施例】
【００１３】
図４は、駆動壁を平行移動させる本発明の排水トラップ装置の駆動前を示す模式断面図である。
図４において、洗面台、シンク等に取り付けられた排水口１は、上流管路部４、第一屈曲部２、中間流路部６及び第二屈曲部３を介して、下流管路部５に通じている。また、固定壁（図示せず）に略垂直に設けた向かい合う二つの水密に駆動可能な駆動壁１０ａ及び１０ｂは、駆動手段８ａ及び８ｂによりそれぞれ矢印の方向に平行移動可能である。
【００１４】
図５は、駆動壁を平行移動させる本発明の排水トラップ装置の駆動後を示す模式断面図である。
図５において、駆動壁１０ａ及び１０ｂは駆動手段８ａ及び８ｂにより平行移動されているため、排水口１から、第一屈曲部２及び第二屈曲部３を介さずに、下流管路部５に通じている。
そのため、排水口１から高圧洗浄用ノズルを挿入することによって、排水トラップ装置の下流に接続される排水管を容易に高圧洗浄することができる。
【００１５】
駆動壁を駆動させる駆動手段は、本実施例で示した回転駆動や平行移動によるもの以外でももちろん構わない。
【００１６】
駆動手段は、モータによる駆動等が考えられるが、それ以外の駆動手段であってももちろん構わない。
【００１７】
駆動壁を駆動して高圧洗浄を行った後に、駆動前に戻すことも駆動手段で行うほうがより望ましい。
【００１８】
駆動手段と通じる制御部は、排水口より上方であり、シンクの水跳ねの少ないところに設けるほうが望ましい。
【００１９】
駆動手段が、固定壁を貫通している場合には、固定壁と水密に設ける必要があるのは、もちろんである。
【図面の簡単な説明】
【００２０】
【図１】中間流路部に向かい合う二つの固定壁を備えた本発明の排水トラップ装置を示す模式斜視図である。
【図２】駆動壁を回転駆動させる本発明の排水トラップ装置の駆動前を示す模式断面図である。
【図３】駆動壁を回転駆動させる本発明の排水トラップ装置の駆動後を示す模式断面図である。
【図４】駆動壁を平行移動させる本発明の排水トラップ装置の駆動前を示す模式断面図である。
【図５】駆動壁を平行移動させる本発明の排水トラップ装置の駆動後を示す模式断面図である。
【符号の説明】
【００２１】
１…………………排水口
２…………………第一屈曲部
３…………………第二屈曲部
４…………………上流管路部
５…………………下流管路部
６…………………中間流路部
７…………………固定壁
８、８ａ、８ｂ…駆動手段
９…………………操作部
１０ａ、１０ｂ…駆動壁
【図１】
2006193955.tif 000003
【図２】
2006193955.tif 000004
【図３】
2006193955.tif 000005
【図４】
2006193955.tif 000006
【図５】
2006193955.tif 000007